(57)【要約】      （修正有）【課題】予熱機能が向上されたファンヒーター装置の提供。【解決手段】底板１２及び底板１２の周縁から突起する外周壁１３を有していると共に、吸気口が開けられているベースユニット１と、外周壁１３に取り付けられている送風ユニット２と、送風ユニット２から底板１２側へ延伸し、先端が底板１２と第１の隙間が空けられ、且つ外周壁１３の内側に配置されている内周壁３２と、内周壁３２の内側に配置されている加熱手段とを有している加熱ユニットと、を備えている上、外周壁１３と内周壁３２との間に予熱空間が画成され、送風が吸気口を経由して外周壁１３と内周壁３２との間にある予熱空間において予熱されてから、内周壁３２の先端と底板１２との間にある第１の隙間を経由し、加熱手段が配置されている内周壁３２の内側に進入するように配置構成されている。【選択図】図２
0003200057.tif 000002
【実用新案登録請求の範囲】
【請求項１】
底板及び、前記底板の周縁から突起すると共に、所定の軸線を囲む外周壁を有し、前記外周壁が突起する方向に向って開口する収容空間が前記底板及び前記外周壁で画成されていると共に、前記収容空間と連通する吸気口が開けられているベースユニットと、
前記外周壁が突起する先端と当接するように取り付けられていると共に、前記収容空間と連通するファンチャンバーを囲み、且つ前記ファンチャンバーと連通する吹出口が開けられている上周壁部と、前記軸線を回転軸として回転できるように前記ファンチャンバー内に取付けられているモータ付き送風ファンとを有している送風ユニットと、
前記送風ユニットから前記底板側へ延伸し、先端が前記底板と第１の隙間が空けられ、且つ前記外周壁と前記軸線との間で該軸線を囲む内周壁と、前記内周壁の内側にある加熱空間に配置されている加熱手段とを有している加熱ユニットと、を備えている上、
前記ベースユニットが有する前記外周壁と前記加熱ユニットが有する前記内周壁との間に予熱空間が画成され、前記送風ユニットの前記送風ファンがモータにより回転駆動される際、送風が前記吸気口を経由して前記外周壁と前記内周壁との間にある前記予熱空間において予熱されてから、前記内周壁の先端と前記底板との間にある前記第１の隙間を経由し、前記加熱手段が配置されている前記内周壁の内側にある前記加熱空間に進入するように配置構成されている
ことを特徴とするファンヒーター装置。
【請求項２】
前記送風ユニットが有する前記上周壁部は、
環状に形成されて前記外周壁が突起する先端と当接するように取り付けられている支持台と、
前記支持台の前記外周壁に臨む下端の反対側にある上端からそれぞれ突起している複数のサポーターと、
前記支持台の前記上端の側から各前記サポーターの先端に当接しながら前記支持台を覆うように取付けられ、前記支持台及び各前記サポーターと共に、前記ファンチャンバー及び複数の前記吹出口を画成しているカバーと、
両面が前記ファンチャンバーと前記収容空間とにそれぞれ面するように、環状に形成された前記支持台の内周面から縮径し、中央近くに、前記軸線を囲みながら前記ファンチャンバーと前記収容空間とを連通させる連通孔が形成されている中間板と、を具えており、
前記加熱ユニットが有する前記内周壁は、前記中間板から前記底板側へ延伸するように配置されていることを特徴とする請求項１に記載のファンヒーター装置。
【請求項３】
前記送風ユニットが有する前記上周壁部は、
前記支持台と前記カバーとの間に介在するように取付けられているモータ保持板と、前記モータを制御するファン制御基板とを更に具えており、
前記送風ファンは前記モータに取り付けられて前記モータと共に前記支持台と前記モータ保持板との間に配置され、
前記ファン制御基板は、前記モータ保持板と前記カバーとの間に配置されていることを特徴とする請求項２に記載のファンヒーター装置。
【請求項４】
前記カバーの上面に、取っ手が立上がり姿勢と横たわり姿勢との間で姿勢が変更できるように回動自在に取付けられていることを特徴とする請求項２または請求項３に記載のファンヒーター装置。
【請求項５】
前記ベースユニットは、前記底板から前記送風ユニット側へ延伸し、先端が前記送風ユニットの前記上周壁部と第２の隙間が空けられ、且つ前記外周壁と前記内周壁との間で該軸線を囲むように構成されている中間壁を更に具えており、
前記ベースユニットが有する前記外周壁と前記ベースユニットが有する前記中間壁との間に第１の予熱空間が画成され、そして前記ベースユニットが有する前記中間壁と前記加熱ユニットが有する前記内周壁との間に第２の予熱空間が画成されており、
前記送風ユニットの前記送風ファンが前記モータにより回転駆動される際、送風が前記吸気口を経由して前記外周壁と前記中間壁との間にある第１の予熱空間と、前記中間壁の先端と前記上周壁部との間にある前記第２の隙間と、前記中間壁と前記内周壁との間にある第２の予熱空間と、前記内周壁の先端と前記底板との間にある前記第１の隙間とを順番に通過しながら予熱されてから前記加熱手段が配置される前記内周壁の内側にある前記加熱空間に進入するように配置構成されていることを特徴とする請求項１〜請求項４のいずれか一項に記載のファンヒーター装置。
【請求項６】
前記底板には、
前記外周壁により嵌め込まれている第１の溝部と、
前記中間壁により嵌め込まれている第２の溝部と、
前記加熱ユニットが有する前記内周壁に対応して、該内周壁に向って開口するように凹陥しながら、該内周壁との間に前記第１の隙間が空けられている第３の溝部と、が形成されていることを特徴とする請求項５に記載のファンヒーター装置。
【請求項７】
前記底板の前記送風ユニットに向う側の反対側には、複数の支持脚が突起するように形成されている
ことを特徴とする請求項１〜請求項６のいずれか一項に記載のファンヒーター装置。
【請求項８】
前記加熱ユニットは、前記内周壁の内側で前記ベースユニットの前記底板側から前記送風ユニット側に向かって突起する突起部が形成されていると共に、前記送風ユニット側に向かう表面が鏡面に形成されている反射手段を更に有していることを特徴とする請求項１〜請求項７のいずれか一項に記載のファンヒーター装置。
【請求項９】
前記加熱ユニットが有する前記反射手段に形成された前記突起部の中央には、前記ベースユニットの前記底板側へ凹陥する凹陥部が更に形成されていることを特徴とする請求項８に記載のファンヒーター装置。
【請求項１０】
前記加熱ユニットは、前記ベースユニットの前記底板に取付けられている電気絶縁ケースと、前記加熱手段を制御できるように前記加熱手段と電気的に接続し、且つ前記電気絶縁ケース内に収容されている加熱制御基板とを更に有していることを特徴とする請求項１〜請求項９のいずれか一項に記載のファンヒーター装置。
【請求項１１】
前記ベースユニットの前記吸気口は、前記底板に開けられていることを特徴とする請求項１〜請求項１０のいずれか一項に記載のファンヒーター装置。
【請求項１２】
前記ベースユニットの前記吸気口は、前記外周壁に開けられていることを特徴とする請求項１〜請求項１０のいずれか一項に記載のファンヒーター装置。
【考案の詳細な説明】
【技術分野】
【０００１】
本考案はファンヒーター装置に関し、特に予熱機能が従来より向上されたファンヒーター装置に関する。
【背景技術】
【０００２】
暖房器具の一種であるファンヒーターは、灯油やガスを消費する燃焼式と、電気を消費する非燃焼式とがあり、非燃焼式ファンヒーターは、空気が汚れにくく、小型化／薄型化しやすく、その上本体価格が比較的に安価であるため、人気を得ている。
【０００３】
しかし、ファンヒーターの構成としては、加熱手段により加熱された空気を送風ファンで機外へ送り出すようになっているので、予熱機能が足りなければ、電力の消費が激しくなり、そして十分な暖房効果が得られるまで時間も掛かる。
【考案の概要】
【考案が解決しようとする課題】
【０００４】
本考案は、上記問題点に鑑みて、予熱機能が向上されたファンヒーター装置の提供を目的とする。
【課題を解決するための手段】
【０００５】
上記目的を達成する手段として、本考案は、底板及び、前記底板の周縁から突起すると共に、所定の軸線を囲む外周壁を有し、前記外周壁が突起する方向に向って開口する収容空間が前記底板及び前記外周壁で画成されていると共に、前記収容空間と連通する吸気口が開けられているベースユニットと、前記外周壁が突起する先端と当接するように取り付けられていると共に、前記収容空間と連通するファンチャンバーを囲み、且つ前記ファンチャンバーと連通する吹出口が開けられている上周壁部と、前記軸線を回転軸として回転できるように前記ファンチャンバー内に取付けられているモータ付き送風ファンとを有している送風ユニットと、前記送風ユニットから前記底板側へ延伸し、先端が前記底板と第１の隙間が空けられ、且つ前記外周壁と前記軸線との間で該軸線を囲む内周壁と、前記内周壁の内側に配置されている加熱手段とを有している加熱ユニットと、を備えている上、前記ベースユニットが有する前記外周壁と前記加熱ユニットが有する前記内周壁との間に予熱空間が画成され、前記送風ユニットの前記送風ファンが前記モータにより回転駆動される際、送風が前記吸気口を経由して前記外周壁と前記内周壁との間にある前記予熱空間において予熱されてから、前記内周壁の先端と前記底板との間にある前記第１の隙間を経由し、前記加熱手段が配置されている前記内周壁の内側にある加熱空間に進入するように配置構成されていることを特徴とするファンヒーター装置を提供する。
【考案の効果】
【０００６】
上記構成によれば、本考案のファンヒーター装置は、ベースユニットが有する外周壁と加熱ユニットが有する内周壁との間に予熱空間が画成されているので、送風ユニットの送風ファンが回転駆動される際、送風が吸気口を経由して外周壁と内周壁との間にある予熱空間において予熱されてから、内周壁の先端と底板との間にある第１の隙間を経由し、加熱手段が配置されている前記内周壁の内側にある加熱空間に進入するように配置構成されているので、従来のファンヒーター装置よりも向上された予熱機能が得られる。
【図面の簡単な説明】
【０００７】
【図１】本考案のファンヒーター装置の第１の実施形態の構成が示されている分解図。
【図２】本考案のファンヒーター装置の第１の実施形態の内部構成が示されている斜視片側断面図。
【図３】本考案のファンヒーター装置が有する加熱手段の設置状態が示されている説明図。
【図４】本考案のファンヒーター装置の第１の実施形態の内部構成が示されている縦断面図。
【図５】本考案のファンヒーター装置の第２の実施形態の内部構成が示されている斜視片側断面図。
【図６】本考案のファンヒーター装置の第２の実施形態の内部構成が示されている縦断面図。
【考案を実施するための形態】
【０００８】
以下で各図面を参照しながら本考案のファンヒーター装置の構成及び各好ましい実施形態について詳しく説明する。
【０００９】
図１〜図４には本考案のファンヒーター装置の第１の実施形態の構成が示されており、図１は分解図であり、図２はその内部構成が示される斜視片側断面図であり、図３は加熱手段の設置状態が示されている説明図であり、図４はその縦断面図である。
【００１０】
図示されているように、本考案のファンヒーター装置は、ベースユニット１と、送風ユニット２と、加熱ユニット３と、を備えている。
【００１１】
ベースユニット１は、底板１２及び、前記底板１２の周縁から突起すると共に、所定の軸線Ｌを囲む外周壁１３を有することにより、外周壁１３が突起する方向に向って開口する収容空間１３１が底板１２及び外周壁１３で画成されていると共に、該収容空間１３１と連通する吸気口１１が開けられるように構成されている。この第１の実施形態において、吸気口１１は底板１２に開けられているが、本考案としては収容空間１３１と連通していれば、底板１２以外の箇所に形成することも可能である。底板１２の送風ユニット２に向う側の反対側には、複数の支持脚１５が突起するように形成されている。
【００１２】
送風ユニット２はベースユニット１に取付けられて空気の流れを駆動するものであり、ベースユニット１の外周壁１３が突起する先端と当接するように取り付けられていると共に、収容空間１３１と連通するファンチャンバー２１を囲み、且つファンチャンバー２１と連通する吹出口２２が開けられている上周壁部２０と、軸線Ｌを回転軸として回転できるようにファンチャンバー２１内に取付けられているモータ４２付き送風ファン４１とを有するように構成されている。
【００１３】
加熱ユニット３は送風ユニット２により駆動される空気を加熱するものであり、送風ユニット２から底板１２側へ延伸し、先端が底板１２と第１の隙間が空けられ、且つ外周壁１３と軸線Ｌとの間で該軸線Ｌを囲む内周壁３２と、内周壁３２の内側にある加熱空間１３４に配置されている加熱手段５１とを有するように構成されている。図３に示されているように、この実施形態において、加熱ユニット３は内周壁３２の内側にある加熱空間１３４で水平に配置されている複数の支持バー５３と、反射手段５２とを備え、加熱手段５１として使用される電気を熱に変換する複数の加熱コイルは、支持バー５３に乗せられるように取付けられている。
【００１４】
反射手段５２は、内周壁３２の内側でベースユニット１の底板１２側から送風ユニット２側に向かって突起する突起部５２０が形成されていると共に、送風ユニット２側に向かう表面が鏡面に形成されている。また、反射手段５２に形成された突起部５２０の中央には、ベースユニット１の底板１２側へ凹陥する凹陥部５２１が更に形成されている。
【００１５】
ちなみに、この実施形態において、加熱ユニット３は、ベースユニット１の底板１２に取付けられている電気絶縁ケース１６と、加熱手段５２を制御できるように加熱手段５２と電気的に接続し、且つ電気絶縁ケース１６内に収容されている加熱制御基板５４とを備えている。
【００１６】
更に、本考案のファンヒーター装置は、ベースユニット１が有する外周壁１３と加熱ユニット３が有する内周壁３２との間に予熱空間１３５が画成され、送風ユニット２の送風ファン４１がモータ４２により回転駆動される際、送風が吸気口１１を経由して外周壁１３と内周壁３２との間にある予熱空間１３５において予熱されてから、内周壁３２の先端と底板１２との間にある前記第１の隙間を経由し、加熱手段５１が配置されている内周壁３２の内側にある加熱空間１３４に進入するように配置構成されている。
【００１７】
また、この第１の実施形態において、ベースユニット１は、底板１２から送風ユニット２側へ延伸し、先端が送風ユニット２の上周壁部２０と第２の隙間が空けられ、且つ外周壁１３と内周壁３２との間で該軸線Ｌを囲むように構成されている中間壁１４を更に具えており、この中間壁１４によって、外周壁１３と内周壁３２との間にある予熱空間１３５は、ベースユニット１が有する外周壁１３とベースユニット１が有する中間壁１４との間にある第１の予熱空間１３６と、ベースユニット１が有する中間壁１４と加熱ユニット３が有する内周壁３２との間にある第２の予熱空間１３７とが画成されている。
【００１８】
即ち、この第１の実施形態は、送風ユニット２の送風ファン４１がモータ４２により回転駆動される際、送風が吸気口１１を経由して外周壁１３と中間壁１４との間にある第１の予熱空間１３６と、中間壁１４の先端と上周壁部２０との間にある第２の隙間と、中間壁１４と内周壁３２との間にある第２の予熱空間１３７と、内周壁３２の先端と底板１２との間にある第１の隙間とを順番に通過しながら予熱されてから、加熱手段５１が配置される内周壁３２の内側にある加熱空間１３４に進入するように配置構成されている。
【００１９】
また、図２、図４に示されているように、この第１の実施形態において、底板１２には、外周壁１３により嵌め込まれている第１の溝部１２１と、中間壁１４により嵌め込まれている第２の溝部１２３と、加熱ユニット３が有する内周壁３２に対応して、該内周壁３２に向って開口するように凹陥しながら、該内周壁３２との間に前記第１の隙間が空けられている第３の溝部１２２と、が形成されている。
【００２０】
送風ユニット２が有する上周壁部２０は、支持台２３と、カバー２５と、中間板２３３とを具えている。
【００２１】
支持台２３は、環状に形成されて外周壁１３が突起する先端と当接するように取り付けられていると共に、図１に示されているように、支持台２３の外周壁１３に臨む下端の反対側にある上端２３４からそれぞれ突起している複数のサポーター２３５が形成されている。
【００２２】
カバー２５は、支持台２３の上端２３４の側から各前記サポーター２３５の先端に当接しながら支持台２３を覆うように取付けられることにより、支持台２３及び各サポーター２３５と共に、上述のファンチャンバー２１及び複数の吹出口２２を画成するように構成されている。また、カバー２５には複数の通気孔２５１が形成されており、カバー２５が支持台２３に取付けられて複数の吹出口２２を画成する際、複数の通気孔２５１が複数の吹出口２２と連通するように配置構成されている。
【００２３】
中間板２３３は、両面がファンチャンバー２１と収容空間１３１とにそれぞれ面するように、環状に形成された支持台２３の内周面から縮径し、且つ、その中央近くに、軸線Ｌを囲みながらファンチャンバー２１と収容空間１３１とを連通させる連通孔２３０が形成されている。
【００２４】
そして加熱ユニット３が有する前記内周壁３２は、中間板２３３の連通孔２３０が形成されている内周縁から底板１２側へ延伸するように配置されている。
【００２５】
送風ユニット２が有する前記上周壁部２０は更に、支持台２３とカバー２５との間に介在するように取付けられているモータ保持板２４と、モータ４２を制御するファン制御基板４３とを更に具えており、送風ファン４１はモータ４２に取り付けられてモータ４２と共に支持台２３とモータ保持板２４との間に配置され、ファン制御基板４３は、モータ保持板２４とカバー２５との間に配置されている。
【００２６】
また、この実施形態において、カバー２５の上面に、取っ手２６が立上がり姿勢と横たわり姿勢との間で姿勢が変更できるように回動自在に取付けられている。
【００２７】
以上のように、本考案のファンヒーターの第１の実施形態は、送風ユニット２の送風ファン４１がモータ４２により回転駆動される際、送風が吸気口１１を経由して外周壁１３と中間壁１４との間にある第１の予熱空間１３６と、中間壁１４の先端と上周壁部２０との間にある第２の隙間と、中間壁１４と内周壁３２との間にある第２の予熱空間１３７と、内周壁３２の先端と底板１２との間にある第１の隙間とを順番に通過しながら予熱されてから、加熱手段５１が配置される内周壁３２の内側にある加熱空間１３４に進入するので、従来のファンヒーター装置よりも向上された予熱機能が得られる。
【００２８】
次いで、図５及び図６に本考案のファンヒーターの第２の実施形態の構成が示されており、図５はその斜視片側断面図であり、図６は縦断面図である。
【００２９】
図示のように、本考案のファンヒーターの第２の実施形態は第１の実施形態と類似し、且つ簡略化された構成になっているので、以下はその相違点を中心に説明する。
【００３０】
本考案のファンヒーターの第２の実施形態は第１の実施形態と同様に、ベースユニット１と、送風ユニット２と、加熱ユニット３と、を備えており、そしてこの第２の実施形態における送風ユニット２及び加熱ユニット３の構成は、第１の実施形態と同じようになっているが、ベースユニット１の構成が異なっている。
【００３１】
第２の実施形態におけるベースユニット１は、第１の実施形態と同じく底板１２及び、前記底板１２の周縁から突起すると共に、所定の軸線Ｌを囲む外周壁１３を有することにより、外周壁１３が突起する方向に向って開口する収容空間１３１が底板１２及び外周壁１３で画成されていると共に、該収容空間１３１と連通する吸気口１１が開けられるように構成されているが、この第２の実施形態において、吸気口１１は外周壁１３に開けられている。
【００３２】
また、この第２の実施形態における底板１２には、外周壁１３により嵌め込まれている第１の溝部１２１と、加熱ユニット３が有する内周壁３２に対応して、該内周壁３２に向って開口するように凹陥しながら、該内周壁３２との間に前記第１の隙間が空けられている第３の溝部１２２と、のみが形成されており、第１の実施形態における中間壁１４、及び該中間壁１４により嵌め込まれている第２の溝部１２３に該当する構成を有しないようになっている。
【００３３】
即ち、この第２の実施形態において、第１の実施形態における中間壁１４に該当する構成を有さず、送風ユニット２の送風ファン４１がモータ４２により回転駆動される際、送風が外周壁１３に形成されている吸気口１１を経由して外周壁１３と内周壁３２との間にある予熱空間１３５と、内周壁３２の先端と底板１２との間にある第１の隙間とを順番に通過しながら予熱されてから、加熱手段５１が配置される内周壁３２の内側にある加熱空間１３４に進入する構成になっており、第１の実施形態と同じく従来のファンヒーター装置よりも向上された予熱機能が得られる。
【００３４】
以上、本考案の好ましい実施形態を説明したが、本考案はこれに限定されるものではなく、その要旨を逸脱しない範囲で種々変更可能である。
【産業上の利用可能性】
【００３５】
本考案に係るファンヒーター装置は、予熱空間が配置されて従来のファンヒーター装置よりも向上された予熱機能が得られるので電力の消費を抑えることができると共に、十分な暖房効果を得るまでの時間も短縮できる。
【符号の説明】
【００３６】
１        ベースユニット
１１      吸気口
１２      底板
１２１    第１の溝部
１２２    第３の溝部
１２３    第２の溝部
１３      外周壁
１３１    収容空間
１３４    加熱空間
１３５    予熱空間
１３６    第１の予熱空間
１３７    第２の予熱空間
１４      中間壁
１５      支持脚
１６      電気絶縁ケース
２        送風ユニット
２０      上周壁部
２１      ファンチャンバー
２２      吹出口
２３      支持台
２３０    連通孔
２３３    中間板
２３４    上端
２３５    サポーター
２４      モータ保持板
２５      カバー
２５１    通気孔
２６      取っ手
３        加熱ユニット
３２      内周壁
４１      送風ファン
４２      モータ
４３      ファン制御基板
５１      加熱手段
５２      反射手段
５２０    突起部
５２１    凹陥部
５３      支持バー
５４      加熱制御基板
Ｌ        軸線
【図１】
0003200057.tif 000003
【図２】
0003200057.tif 000004
【図３】
0003200057.tif 000005
【図４】
0003200057.tif 000006
【図５】
0003200057.tif 000007
【図６】
0003200057.tif 000008